(57)【要約】  細型の芯体であっても、当該芯体が折れにくい構造の電子ペンを提供する。  一方に開口部を有する筒状の筐体と、この筐体に収納され、その開口部より先端が突出する芯体と、この芯体に加わる筆圧を検出する筆圧検出部とを有する電子ペンである。芯体は、中芯部と、この中芯部よりも剛性の大きい部材からなるパイプ部とを備える。中芯部は、パイプ部の中空部に挿入されて、少なくとも先端部がパイプ部の軸芯方向の一方の端部から突出する状態でパイプ部に対して係止される。中芯部の先端部が芯体の先端とされると共に、筐体の開口部から中芯部の先端部が突出するときには、パイプ部の一部も開口部から突出する。中芯部の先端部に印加される筆圧は、パイプ部を介して筆圧検出部に伝達する。
2016185915.tif 000002
【特許請求の範囲】
【請求項１】
一方に開口部を有する筒状の筐体と、
前記筐体に収納され、前記開口部より先端が突出する芯体と、
前記芯体に加わる筆圧を検出する筆圧検出部と、
を有し、
前記芯体は、
中芯部と、パイプ部とを備え、
前記中芯部は、前記パイプ部の中空部に挿入されて、少なくとも先端部が前記パイプ部の軸芯方向の一方の端部から突出する状態で前記パイプ部に対して係止され、
前記中芯部の先端部が前記芯体の先端とされると共に、前記筐体の前記開口部から前記中芯部の先端部が突出するときには、前記パイプ部の一部も前記開口部から突出し、
前記中芯部の先端部に印加される筆圧を、前記印加される筆圧に応じて前記芯体が前記パイプ部の側面が前記開口部に対向しながら前記筒状の筐体の軸芯方向に摺動可能とすることで、前記パイプ部を介して前記筆圧検出部に伝達する
ことを特徴とする電子ペン。
【請求項２】
前記芯体の前記パイプ部の前記軸芯方向の他方の端部には、前記パイプ部の前記軸芯方向の端部から突出して、前記筆圧検出部に筆圧を伝達するための、前記パイプ部とは別材料からなる筆圧伝達部が設けられており、前記中芯部は、前記先端部と前記筆圧伝達部とを備える
ことを特徴とする請求項１に記載の電子ペン。
【請求項３】
前記中芯部は、前記先端部と前記筆圧伝達部とを一体に備える部材からなる
ことを特徴とする請求項２に記載の電子ペン。
【請求項４】
前記中芯部は、前記先端部と前記筆圧伝達部との間に空気またはゲルまたは液体を備える
ことを特徴とする請求項２に記載の電子ペン。
【請求項５】
前記パイプ部は、前記中芯部よりも剛性の大きい部材からなる
ことを特徴とする請求項１に記載の電子ペン。
【請求項６】
前記パイプ部は、金属からなる
【請求項７】
前記中芯部は、前記パイプ部に対して挿脱可能であって交換可能とされている
ことを特徴とする請求項１に記載の電子ペン。
【請求項８】
前記先端部及び／または前記筆圧伝達部は、前記パイプ部に対して挿脱可能であって交換可能とされている
ことを特徴とする請求項４に記載の電子ペン。
【請求項９】
前記中芯部の前記先端部及び／または前記筆圧伝達部は、樹脂材料からなる
ことを特徴とする請求項２〜請求項４のいずれかに記載の電子ペン。
【請求項１０】
前記筐体内には、前記開口部の近傍にコイルが巻回された磁性体コアが設けられ、前記磁性体コアには、貫通孔が形成されており、前記芯体は、前記磁性体コアの貫通孔を挿通して、前記先端が前記開口部より突出すると共に、前記芯体の前記先端とは反対側が前記磁性体コアを貫通して突出して、前記芯体の先端に印加される筆圧を、前記パイプ部を介して前記筆圧検出部に伝達する
ことを特徴とする請求項１に記載の電子ペン。
【請求項１１】
前記芯体の先端が前記開口部から突出するときには、前記磁性体コアの一部も前記開口部から突出する
ことを特徴とする請求項１０に記載の電子ペン。
【請求項１２】
前記開口部から突出する前記磁性体コアは、前記コイルが巻回されていない部分とされる
ことを特徴とする請求項１１に記載の電子ペン。
【請求項１３】
前記磁性体コアの貫通孔から突出する前記芯体の先端は、前記中芯部の先端部及び前記パイプ部の一部からなる
ことを特徴とする請求項１０〜請求項１２のいずれかに記載の電子ペン。
【請求項１４】
前記磁性体コアに巻回された前記コイルに並列にコンデンサが接続された共振回路を有し、前記共振回路により電磁誘導方式で位置検出センサと結合することで、位置指示をする
ことを特徴とする請求項１０〜請求項１３のいずれかに記載の電子ペン。
【請求項１５】
信号発信回路を備え、
前記パイプ部は導電性金属からなると共に、前記芯体の先端を構成する前記中芯部の先端部は導電性を有する材料で構成され、
前記信号発信回路からの信号を、前記パイプ部及び前記中芯部の先端部を通じて発信する
ことを特徴とする請求項１に記載の電子ペン。
【発明の詳細な説明】
【技術分野】
【０００１】
この発明は、位置検出装置と共に使用され、筆圧検出機能を有する電子ペンに関する。
【背景技術】
【０００２】
近年、種々の電子機器の入力装置として、座標入力装置が用いられるようになっており、この座標入力装置の入力具としての電子ペンが用いられる機会が多くなっている。座標入力装置としては電磁誘導方式が主に用いられており、この電磁誘導方式の一つとして、センサからの磁界を、電子ペンが備える共振回路で受けて、センサに帰還する方式がある。【０００３】
この電磁誘導方式の座標入力装置は、多数のループコイルを座標軸のＸ軸方向及びＹ軸方向に配設してなるセンサを備える位置検出装置と、磁性体コアに巻回されたインダクタンス素子の例としてのコイルとキャパシタとからなる共振回路を有するペン形状の位置指示器としての電子ペンとで構成される。【０００４】
位置検出装置は、所定の周波数の送信信号をセンサのループコイルに供給して、電磁エネルギーとして電子ペンに送信する。電子ペンの共振回路は、送信信号の周波数に応じた共振周波数を有するように構成されており、センサのループコイルとの間での電磁誘導作用に基づいて電磁エネルギーを蓄える。そして、電子ペンは、共振回路に蓄えた電磁エネルギーを位置検出装置のセンサのループコイルに帰還させる。【０００５】
センサのループコイルは、この電子ペンからの電磁エネルギーを検出する。位置検出装置は、送信信号を供給したループコイルの位置と、電子ペンの共振回路からの電磁エネルギーを検出したループコイルの位置により、電子ペンにより指示されたセンサ上の位置のＸ軸方向及びＹ軸方向の座標値を検出する。【０００６】
図１２（Ａ）に、従来の電子ペン１００の概略構成の一例を示す。この図１２（Ａ）の例の電子ペン１００は、特許文献１（特開２００９−８６９２５号公報）に記載されているものである。【０００７】
この特許文献１に記載されている電子ペン１００のケース（筐体）１０１は、軸芯方向に組立結合された第１のケース１０２と第２のケース１０３とからなる有底の円筒状形状を備える。第１のケースの軸芯方向の一端側には、一端１０９ａ側がペン先となる棒状の芯体１０９の、前記一端１０９ａ側を外部に突出させるための開口１０２ａが形成されている。ケース１０１の中空部内には、コイル１０４と、筆圧検出部１０５と、コイル１０４と共に共振回路を構成するキャパシタ１０６などの電子部品が搭載されたプリント基板１０７とが、軸芯方向に順次に並べられて収納されている。【０００８】
コイル１０４は、軸芯方向の貫通孔１０８ａを有する円筒状の磁性体コアの例としてのフェライトコア１０８に巻回されている。芯体１０９は、このフェライトコア１０８とは機構的に結合しないものとして構成されており、当該フェライトコア１０８の貫通孔１０８ａを貫通するように設けられる。そして、フェライトコア１０８の、第１のケース１０２の開口１０２ａとは反対側には、筆圧検出部１０５が収納されており、芯体１０９の他端１０９ｂが、この筆圧検出部１０５に嵌合される。芯体１０９は、印加される筆圧に応じて軸芯方向に移動変位する。この例の筆圧検出部１０５は、その芯体１０９に生じる移動変位を、静電容量の変化とするキャパシタの構成を有し、このキャパシタの静電容量の変化として筆圧を検出するように構成されている。【０００９】
筆圧検出部１０５は、端子１０５ａ及び端子１０５ｂにより、プリント基板１０７のキャパシタなどの電子部品と電気的に接続されていると共に、コイル１０４の一端及び他端と電気的に接続されている。筆圧検出部１０５を構成するキャパシタは、コイルと所定のキャパシタと共に共振回路を構成している。芯体１０９に圧力（筆圧）が印加されると筆圧検出部１０５を構成するキャパシタの容量が変化し、共振回路の共振周波数が変化する。電子ペン１００は、この共振回路により、位置検出装置のセンサとの間で電磁波の授受を行う。位置検出装置は、電子ペン１００との電磁波の授受を行っている座標位置として、電子ペン１００の芯体１０９の指示位置を検出し、電子ペン１００から帰還される信号の周波数（共振周波数）により電子ペンに印加されている筆圧を検出するようにする。【００１０】
上述のように、従来の電磁誘導方式の電子ペンにおいては、フェライトコア１０８の軸芯方向の貫通孔１０８ａを通じて芯体１０９を配することにより、この芯体１０９に印加される圧力を筆圧検出部１０５に伝達し、位置検出装置のセンサの入力面への電子ペン１００の接触を検出することができる構成としている。【００１１】
ところで、近年の小型化の嗜好により、携帯型の電子機器も、より小型化の要求が強くなっている。そして、電子ペンは、この種の小型の電子機器用の位置検出装置と共に使用されるようになっており、より細型のものが求められている。【００１２】
しかし、電子ペンが細型になると、コイル１０４が巻回される磁性体コアの例としてのフェライトコアも細型とする必要があるが、フェライトコアは硬く、そのような細型のフェライトコアに、細い芯体を挿通させる正確な寸法精度の貫通孔を形成することが従来は困難であった。【００１３】
そこで、図１２（Ｂ）に示すように、細型の電子ペン１００Ａの細型の筐体１０２Ａ内に収納する細型のフェライトコア１０８Ａには、芯体を貫通させるための貫通孔を設けるのではなく、当該フェライトコア１０８Ａのペン先側の端部に凹部１０８１を形成して、この凹部１０８１に、芯体１０９Ａを嵌合させるようにした電子ペンが提案された（特許文献２（特開２０１４‐２１６７４号公報）参照）。【００１４】
この電子ペン１００Ａの場合には、芯体１０９Ａは、図１２（Ａ）の電子ペン１００の場合の芯体１０９のペン先側１０９ａの部分に対応する形状を備え、フェライトコア１０８Ａのペン先側の端部の凹部１０８１に嵌合する突部１０９１を備える。そして、芯体１０９Ａの突部１０９１が、フェライトコア１０８Ａの凹部１０８１に嵌合されることで、両者が一体的に結合される構成とされる。このため、この図１２（Ｂ）に示した電子ペン１００Ａにおいては、芯体１０９Ａに印加された筆圧に応じて、当該芯体１０９Ａと一体的に結合されたフェライトコア１０８Ａが軸芯方向に移動し、筆圧検出部（図１２（Ｂ）では図示を省略）に筆圧が伝達される。
【先行技術文献】
【特許文献】
【００１５】
【特許文献１】特開２００９−８６９２５号公報
【特許文献１】特開２０１４‐２１６７４号公報
【発明の概要】
【発明が解決しようとする課題】
【００１６】
上述のように、特許文献２の電子ペン１００Ａの場合には、フェライトコア１０８Ａが軸芯方向に筆圧に応じて移動してしまうので、このフェライトコア１０８Ａに巻回されているコイル１０４Ａとの電磁結合の強度が筆圧に応じて変化してしまうという問題があった。【００１７】
ところで、最近は、細型のフェライトコアに細い芯体を挿通させるための正確な寸法精度の貫通孔を形成することが可能となり、特許文献２の電子ペン１００Ａの上述の問題は解消されるようになった。【００１８】
すなわち、図１２（Ｃ）に示すように、コイル１０４Ｂが巻回される細型のフェライトコア１０８Ｂに、細い貫通孔１０８Ｂａを形成することが可能となり、この貫通孔１０８Ｂａに、例えば樹脂からなる細い芯体１０９Ｂを挿通させることが可能となった。そして、この芯体１０９Ｂの先端１０９Ｂａとは反対側を、図１２（Ａ）と同様にして、フェライトコア１０８Ｂを挿通させて突出させ、その突出する端部１０９Ｂｂを筆圧検出部（図１２（Ｂ）では図示を省略）に嵌合させることで、図１２（Ｂ）の電子ペン１００Ａの問題を解消することができるようになった。【００１９】
しかしながら、図１２（Ｃ）のような細型のフェライトコア１０８Ｂに貫通孔１０８Ｂａを形成して、芯体１０９Ｂをその貫通孔１０８Ｂａを挿通させる構成とした場合、例えば樹脂からなる芯体１０９Ｂが細すぎるために、芯体１０９Ｂが折れ易くなるという問題が生じた。また、芯体１０９Ｂがフェライトコア１０８Ｂの貫通孔１０８Ｂａ内において撓んでしまうという問題もある。【００２０】
この発明は、以上の問題点を解決することができるようにした電子ペンを提供することを目的とする。
【課題を解決するための手段】
【００２１】
上記の課題を解決するために、この発明は、
一方に開口部を有する筒状の筐体と、
前記筐体に収納され、前記開口部より先端が突出する芯体と、
前記芯体に加わる筆圧を検出する筆圧検出部と、
を有し、
前記芯体は、
中芯部と、パイプ部とを備え、
前記中芯部は、前記パイプ部の中空部に挿入されて、少なくとも先端部が前記パイプ部の軸芯方向の一方の端部から突出する状態で前記パイプ部に対して係止され、
前記中芯部の先端部が前記芯体の先端とされると共に、前記筐体の前記開口部から前記中芯部の先端部が突出するときには、前記パイプ部の一部も前記開口部から突出し、
前記中芯部の先端部に印加される筆圧を、前記印加される筆圧に応じて前記芯体が前記パイプ部の側面が前記開口部に対向しながら前記筒状の筐体の軸芯方向に摺動可能とすることで、前記パイプ部を介して前記筆圧検出部に伝達する
ことを特徴とする電子ペンを提供する。【００２２】
上述の構成の請求項１の発明による電子ペンによれば、芯体は、中芯部と、この中芯部よりも剛性の大きい部材からなるパイプ部とを備え、中芯部が、パイプ部の中空部に挿入されて、少なくとも先端部がパイプ部の軸芯方向の一方の端部から突出する状態でパイプ部に対して係止されて構成されている。【００２３】
そして、筐体の前記開口部から中芯部の先端部が突出するときには、パイプ部の一部も開口部から突出する状態となって、開口部から突出する中芯部の先端部がパイプ部の一部により保護される状態となる。しかも、芯体は、筐体の開口部の壁部の部分においては、パイプ部が対向するようになるので、開口部の壁部に芯体が衝合するときにも折れにくい構成とすることができる。【００２４】
パイプ構造にすると、同等の太さの中実の棒状体に比べて曲げ応力に対しての耐力が大きくなることが一般に知られている。この発明による電子ペンの芯体は、このように曲げ応力に対する耐力が大きいパイプ部に中芯部が挿入されて構成される。しかも、この発明においては、パイプ部は、中芯部よりも剛性の大きい部材で構成されている。【００２５】
したがって、この発明によれば、例えば細型の磁性体コアの細い貫通孔に挿通させるような細型の芯体であっても、パイプ部により、当該芯体が折れにくい構造の電子ペンを提供することができる。
【発明の効果】
【００２６】
この発明によれば、細型の芯体であっても、当該芯体が折れにくい構造を備える電子ペンを提供することができる。
【図面の簡単な説明】
【００２７】
【図１】この発明による電子ペンの第１の実施形態の構成例を説明するための図である。
【図２】第１の実施形態の電子ペンの電子ペン本体部の構成例を説明するための図である。
【図３】第１の実施形態の電子ペンの電子ペン本体部の構成例を説明するための図である。
【図４】第１の実施形態の電子ペンの芯体の構成例を説明するための図である。
【図５】この発明による電子ペンの第１の実施形態の回路構成を、当該電子ペンと共に使用する位置検出装置の回路構成と共に示す図である。
【図６】この発明による電子ペンの実施形態における芯体の他の構成例を説明するための図である。
【図７】この発明による電子ペンの実施形態における芯体の他の構成例を説明するための図である。
【図８】この発明による電子ペンの実施形態における芯体の他の構成例を説明するための図である。
【図９】この発明による電子ペンの第２の実施形態の構成例を説明するための図である。
【図１０】この発明による電子ペンの第２の実施形態の回路構成を説明するための図である。
【図１１】この発明による電子ペンの第２の実施形態と共に使用する位置検出装置の回路構成と共に示す図である。
【図１２】従来の電子ペンの一例を説明するための図である。
【発明を実施するための形態】
【００２８】
以下、この発明による電子ペンの実施形態を、図を参照しながら説明する。
【００２９】
［第１の実施形態］
図１は、この発明による電子ペンの第１の実施形態の構成例を示す図である。この第１の実施形態の電子ペン１は、筒状の筐体２の中空部２ａ内に、電子ペン本体部３が収納され、ノックカム機構部４により、電子ペン本体部３のペン先側が、筐体２の長手方向の一端の開口部２ｂ側から出し入れされるノック式の構成を備える。この実施形態では、電子ペン本体部３は、カートリッジ式の構成とされ、筐体２に対して着脱可能とされている。
【００３０】
図１（Ａ）は、電子ペン本体部の全体が筐体２の中空部２ａ内に収容されている状態を示し、図１（Ｂ）は、ノックカム機構部４により電子ペン本体部のペン先側が、筐体２の開口部２ｂから突出した状態を示している。なお、図１の例では、電子ペン１の筐体２が透明の合成樹脂で構成されていて、その内部が透けて見える状態として示している。
【００３１】
この実施形態の電子ペン１は、市販のノック式ボールペンと互換性が取れる構成とされている。
【００３２】
筐体２及び当該筐体２内に設けられるノックカム機構部４は、周知の市販のノック式ボールペンと同一の構成とされると共に、寸法関係も同一に構成される。換言すれば、筐体２及びノックカム機構部４は、市販のノック式のボールペンの筐体及びノックカム機構部をそのまま用いることもできる。
【００３３】
ノックカム機構部４は、図１に示すように、カム本体４１と、ノック棒４２と、回転子４３とが組み合わされた周知の構成とされている。カム本体４１は、筒状の筐体２の内壁面に形成されている。ノック棒４２は、使用者のノック操作を受け付けることができるように、端部４２ａが、筐体２のペン先側とは反対側の開口２ｃから突出するようにされている。回転子４３は、電子ペン本体部３のペン先側とは反対側の端部が嵌合される嵌合部４３ａを備える。
【００３４】
図１（Ａ）の状態において、ノック棒４２の端部４２ａが押下されると、ノックカム機構部４により、電子ペン本体部３は、筐体２内において図１（Ｂ）の状態にロックされ、電子ペン本体部３のペン先側が、筐体２の開口部２ｂから突出する状態になる。そして、この図１（Ｂ）の状態から、ノック棒４２の端部４２ａが再度押下されると、ノックカム機構部４によりロック状態が解除され、復帰用バネ５により、電子ペン本体部３の筐体２内の位置は、図１（Ａ）の状態に戻る。ノックカム機構部４の詳細な構成及びその動作は、周知であるので、ここでは、その説明を省略する。
【００３５】
図２は、電子ペン本体部３の構成例を、市販のノック式ボールペンの替え芯と比較して示す図である。すなわち、図２（Ａ）は、市販のノック式ボールペンの替え芯６を示し、また、図２（Ｂ）は、この実施形態の電子ペン本体部３の構成例を示している。また、図３は、電子ペン本体部３のペン先側の構成を説明するための部分拡大図である。さらに、図４は、電子ペン本体部３に装着される芯体の構成を説明するための図である。
【００３６】
市販のノック式ボールペンの替え芯６は、図２（Ａ）に示すように、ボールが先端に配設されているペン先部６１と、インク収納部６２とが、結合部６３で結合されて一体化された周知の構成を備える。結合部６３は、インク収納部６２と同じ径を有する。
【００３７】
一方、この実施形態の電子ペン本体部３においては、図２（Ｂ）に示すように、コイル３１が巻回された磁性体コア、この例ではフェライトコア３２が筒状体部３３と結合されている。そして、芯体３４が、フェライトコア３２の貫通孔（図２では図示を省略）を通じて挿通されて、後述するように、筒状体部３３内に設けられている筆圧検出部（図２では図示を省略）に嵌合されて電子ペン本体部３の一部として設けられる。図２に示すように、芯体３４は、一方の端部３４ａ（以下、先端部３４ａという）が、ペン先として、フェライトコア３２から突出する。
【００３８】
図３（Ａ）は、コイル３１が巻回されたフェライトコア３２と、筒状体部３３の一部と、芯体３４の部分の分解拡大図である。この例のフェライトコア３２は、例えば円柱状形状のフェライト材料に、芯体３４を挿通するための所定の径ｒ１（例えばｒ１＝１ｍｍ）の軸芯方向の貫通孔３２ｄが形成されたものとされている。このフェライトコア３２の、ペン先側には、徐々に先細となるテーパー部３２ｅが形成されている。このテーパー部３２ｅにより、このフェライトコア３２を通る磁束は、テーパー部３２ｅで高密度となり、位置検出装置のセンサとの間の磁気的な結合を、テーパー部３２ｅがない場合に比して、より強くすることができる。
【００３９】
そして、この実施形態では、図３（Ａ）に示すように、コイル３１がフェライトコア３２の軸芯方向の全長に亘って巻回されるのではなく、部分的に巻回されている。すなわち、この例では、コイル３１はフェライトコア３２の全長の約１／２長の巻回長を有するものとされると共に、図３（Ａ）に示すように、当該コイルのフェライトコア３２における巻回部３２ａは、フェライトコア３２の、筒状体部３３との結合部側に偏った位置とされる。
【００４０】
そして、フェライトコア３２をその軸芯方向に見たとき、ペン先側の端部から、コイル巻回部３２ａの一方の端までの部分は、コイルが巻回されない第１のコイル非巻回部３２ｂとされ、また、コイル巻回部３２ａの他方の端から、フェライトコア３２の筒状体部３３との結合部側の若干の部分も、コイル３１が巻回されない第２のコイル非巻回部３２ｃとされる。第２のコイル非巻回部３２ｃの軸芯方向の長さは、筒状体部３３と結合するための短い長さとされる。一方、第１のコイル非巻回部３２ｂの軸芯方向の長さは、この例では、フェライトコア３２の全長の約１／２長から、第２のコイル非巻回部３２ｃの長さ分を差し引いた、比較的長いものとされる。
【００４１】
そして、この実施形態では、筒状体部３３のフェライトコア３２との結合部の近傍には、筆圧検出部３５が設けられている。この筆圧検出部３５は、この例では、例えば、特開２０１３−１６１３０７号公報に開示されているような筆圧に応じて静電容量を可変とする半導体素子を用いた構成としている。なお、筆圧検出部３５は、例えば特許文献：特開２０１１−１８６８０３号公報に記載されている周知の機構的な構成の筆圧検出手段を使用した、筆圧に応じて静電容量が変化する可変容量キャパシタの構成とすることもできる。
【００４２】
筒状体部３３内には、さらにプリント基板３６が収納されている。このプリント基板３６には、コイル３１に並列に接続されて共振回路を構成するキャパシタ３７が設けられている。そして、筆圧検出部３５で構成される可変容量キャパシタ３５Ｃは、このプリント基板３６に形成されているキャパシタ３７に並列に接続されて、前記共振回路の一部を構成するようにされている（後述の図６参照）。
【００４３】
そして、図３（Ｂ）に示すように、フェライトコア３２の第２のコイル非巻回部３２ｃの全部または一部が、筒状体部３３に設けられている凹部３３ａに嵌合されることで、フェライトコア３２が筒状体部３３と結合される。図示は省略するが、このフェライトコア３２の筒状体部３３との結合の際に、コイル３１の一端３１ａ及び３１ｂが、筒状体部３３のプリント基板３６に設けられているキャパシタ３７と並列に接続されるように電気的に接続される。
【００４４】
芯体３４は、図３（Ａ）に示すように、最大径がフェライトコア３２の貫通孔の径ｒ１よりも小さい棒状の構成とされている。この例では、芯体３４は、図４（Ａ）に示すように、パイプ部３４１と、このパイプ部３４１の中空部を挿通する中芯部３４２とで構成されている。
【００４５】
中芯部３４２は、この例では、比較的硬質で弾性を有する樹脂材料、例えばＰＯＭ（Polyoxymethylene）で構成されており、中芯部３４２の一方の端部側の少なくとも先端部３４２ａがパイプ部３４１の軸芯方向の一端側から突出してペン先を構成する。また、中芯部３４２の他方の端部３４２ｂ側は、パイプ部３４１の軸芯方向の他端側から突出して、筆圧検出部３５に筆圧を伝達するための筆圧伝達部を構成する。特に、この例では、中芯部３４２の他方の端部３４２ｂ側は、図３に示すように、筆圧を伝達するために筆圧検出部３５に嵌合する嵌合部を構成している。
【００４６】
なお、この例では、中芯部３４２の他方の端部３４２ｂ側は、筆圧検出部３５に嵌合する嵌合部を構成するようにしたが、筆圧検出部３５に嵌合する別部材の押圧部材を設け、中芯部３４２の他方の端部３４２ｂ側は、この押圧部材に嵌合して、筆圧検出部３５に対して、芯体３４の先端に印加される筆圧を、押圧部材を介して伝達するように構成してもよい。
【００４７】
なお、中芯部３４２の材料は、ＰＯＭに限らず、ペン先としての書き味を加味した樹脂材料やその他の材料を用いることもできる。
【００４８】
パイプ部３４１は、中芯部３４２よりも剛性の大きい材料、この例では金属、例えばＳＵＳで構成されている。そして、パイプ部３４１は、その外径ｒ２が、フェライトコア３２の貫通孔３２ｄの径ｒ１よりも小さい値とされている。そして、パイプ部３４１の内径（中空部３４１ａの径）ｒ３は、中芯部３４２が当該中空部３４１ａを挿通することができる値に選定されている。
【００４９】
中芯部３４２の他方の端部３４２ｂの径は、この例では、図４（Ａ）に示すように、パイプ部３４１の外径ｒ２と等しく選定されている。そして、中芯部３４２の他方の端部３４２ｂを除く部分の径は、パイプ部３４１の内径ｒ３よりも僅かに小さい一定の径ｒ３´とされている。そして、中芯部３４２の当該径ｒ３´の部分の長さは、パイプ部３４１の長さよりも長く選定されている。
【００５０】
したがって、中芯部３４２の、他方の端部３４２ｂを除く径ｒ３´の部分の全てを、パイプ部３４１の中空部３４１ａ内に挿通させると、図４（Ｂ）に示すように、中芯部３４２の他方の端部３４２ｂが、パイプ部３４１の他方の端部から突出すると共に、中芯部３４２の一方の端部側の少なくとも先端部３４２ａが、ペン先として、パイプ部３４１の一方の端部から突出する状態となる。
【００５１】
そして、この例においては、中芯部３４２の径ｒ３´の部分の他方の端部３４２ｂの近傍には、図４（Ｃ）に示すように、径ｒ３´及び径ｒ３よりも僅かに大きい径となるように膨出する膨出部３４２ｃが形成されている。この中芯部３４２は、この膨出部３４２ｃをパイプ部３４１の中空部３４１ａ内に押し込むようにして、パイプ部３４１に装着される。したがって、中芯部３４２の、他方の端部３４２ｂを除く径ｒ３´の部分の全てを、パイプ部３４１の中空部３４１ａ内に挿通させたときに、中芯部３４２は、この膨出部３４２ｃにより、パイプ部３４１に係止される状態となる。
【００５２】
以上のようにして、芯体３４は、図４（Ｂ）に示すようにパイプ部３４１内に中芯部３４２が挿入されて嵌合されて、パイプ部３４１と一体的に構成される。なお、芯体３４は、一体的に構成した後において、パイプ部３４１から、中芯部３４２をその他方の端部３４２ｂ側に引き抜くことが可能である。つまり、パイプ部３４１に対して、中芯部３４２は、交換可能に構成されている。
【００５３】
この芯体３４は、フェライトコア３２と筒状体部３３とが結合されている状態において、図３（Ｂ）に示すように、テーパー部３２ｅが形成されている側からフェライトコア３２の貫通孔３２ｄに挿通される。そして、芯体３４は、ペン先を構成する中芯部３４２の一方の端部側の先端部３４２ａとは反対側の中芯部３４２の他方の端部３４２ｂが、筒状体部３３内の筆圧検出部３５の嵌合部３５ａに嵌合される。この場合に、詳細な図示は、省略するが、筆圧検出部３５の嵌合部３５ａには例えば弾性ゴムなどの弾性材料が配置されていて、芯体３４の中芯部３４２の他方の端部３４２ｂが当該弾性材料で保持されることにより、芯体３４は容易には抜け落ちないようにされている。ただし、使用者が、芯体３４を引き抜くように力を印加すれば、芯体３４と筆圧検出部３５の嵌合部３５ａとの嵌合は、容易に外れて、芯体３４を引き抜くことができる。つまり、芯体３４は、交換可能とされている。
【００５４】
このように芯体３４の中芯部３４２の他方の端部３４２ｂが筆圧検出部３５の嵌合部３５ａに嵌合された状態においては、図３（Ｂ）に示すように、芯体３４の中芯部３４２の一方の端部側の先端部３４２ａがペン先としてフェライトコア３２から突出する状態となる。さらに、この例では、芯体３４のパイプ部３４１の一方の端部側も、中芯部３４２の一方の端部側の先端部３４２ａと共にフェライトコア３２から突出する状態となる。これにより、フェライトコア３２から突出する中芯部３４２の一方の端部側の先端部３４２ａは、パイプ部３４１のフェライトコア３２から突出する一部により保護（補強）されている状態となる。
【００５５】
この例の場合には、図２（Ａ）及び図２（Ｂ）に示すように、電子ペン本体部３のペン先側の寸法は、ボールペンの替え芯６のペン先側の寸法とほぼ等しくなるように構成されている。すなわち、電子ペン本体部３のペン先側に設けられるフェライトコア３２の径は、ボールペンの替え芯６のペン先部６１の径Ｒ１とほぼ等しくなるように構成されている。また、芯体３４の先端部３４ａのフェライトコア３２から突出する部分の長さとフェライトコア３２の第１のコイル非巻回部３２ｂの長さとの合計の長さは、図２及び図３（Ｂ）に示すように、ボールペンの替え芯６のペン先部６１の長さＬ１とほぼ等しくなるように構成されている。
【００５６】
また、電子ペン本体部３のフェライトコア３２のコイル３１が巻回されたコイル巻回部３２ａの径及び筒状体部３３の径は、ボールペンの替え芯６のインク収納部６２の径Ｒ２とほぼ等しく、前記ペン先部６１の径Ｒ１よりは大きい（Ｒ２＞Ｒ１）。なお、筐体２の開口部２ｂの径は、この径Ｒ２よりは小さい。したがって、コイル巻回部３２ａは、開口部２ｂから外部に突出することはできない。
【００５７】
また、図２（Ａ）及び（Ｂ）に示すように、フェライトコア３２と筒状体部３３とを結合し、芯体３４をフェライトコア３２の貫通孔を通じて筒状体部３３の筆圧検出部３５に嵌合した状態の電子ペン本体部の長さ（全長）は、ボールペンの替え芯６の全長Ｌ２と等しく選定されている。
【００５８】
以上のような構成の電子ペン本体部３を、その筒状体部３３をノックカム機構部４の回転子４３の嵌合部４３ａに嵌合させることにより、筐体２内に収納することができる。そして、この実施形態の電子ペン１においては、使用者は、位置検出装置と共に使用するときには、ノック棒４２の端部４２ａを押下する。すると、電子ペン１においては、図１（Ｂ）及び図３（Ｂ）に示すように、芯体３４の先端部３４ａ及びフェライトコア３２の第１のコイル非巻回部３２ｂの一部が筐体２の開口部２ｂから突出する状態となる。電子ペン１の使用者は、この状態で、位置検出装置のセンサ上において、指示位置の入力操作をする。
【００５９】
電子ペン１の使用が終了したら、ノック棒４２の端部４２ａを再押下することで、図１（Ａ）に示すように、電子ペン本体部３の全体は筐体２の中空部２ａ内に収容させる状態とすることができる。このときには、電子ペン本体部３の全体が筐体２の中空部２ａ内に収容されて、電子ペン本体部３の芯体３４の先端３４ａは、筐体２により保護される状態となる。
【００６０】
［第１の実施形態の効果］
この実施形態の電子ペン１おいては、芯体３４の先端部３４ａが外部に突出する電子ペン１の使用時には、芯体３４のみではなく、フェライトコア３２の第１のコイル非巻回部３２ｂの一部も筐体２の開口部２ｂから突出しており、フェライトコア３２のテーパー部３２ｅの先端から、センサの入力面までの距離が短くなる。したがって、この実施形態の電子ペン１によれば、フェライトコア３２が、筐体２の中空部２ａ内に留まっている従来の電子ペンに比較して、センサとの電磁結合が強くなる。さらに、この実施形態では、フェライトコア３２の芯体３４の先端部３４ａ側は、テーパー部３２ｅとされているので、フェライトコア３２の先端の断面積が小さくなり、より磁束密度が大きくなって、センサと強く電磁結合するようになる。
【００６１】
したがって、この実施形態の電子ペン１は、細型化された場合であっても、センサと強く電磁結合することができ、位置検出装置においては、電子ペンによる指示位置の検出を感度良く検出することができるようになる。
【００６２】
そして、電子ペン１の細型化に伴い、芯体３４は非常に細くなり、強度が問題となるが、上述の実施形態によれば、芯体３４は、パイプ部３４１と中芯部３４２とを組み合わせたものであって、中実の棒状体に比較してパイプ部３４１の曲げ応力に対する耐性が強いことと、パイプ部３４１として中芯部３４２よりも剛性の大きい材料を用いたことと相まって、芯体３４の強度を強くすることができる。
【００６３】
また、フェライトコア３２の貫通孔３２ｄの端部からペン先側として突出する芯体３４は、中芯部３４２の一方の端部側の先端部３４２ａのみではなく、パイプ部３４１の一方の端部の一部も含まれる。このため、フェライトコア３２の貫通孔３２ｄの端部から突出する芯体３４の中芯部３４２の一方の端部３４２ａは、パイプ部３４１により保護される状態となるので、中芯部３４２の一方の端部３４２ａは非常に細くても、その破損をより効果的に防止することができるという効果を奏する。
【００６４】
すなわち、芯体３４の中芯部３４２のパイプ部３４１から突出する先端部３４２ａが、筐体２の開口部２ｂの壁部と対向するように構成されている場合には、中芯部３４２は樹脂であって、剛性が小さいために、中芯部３４２の先端部３４２ａと開口部２ｂの壁部とが衝合したときに、中芯部３４２の先端部３４２ａが折れる恐れがある。
【００６５】
これに対して、この実施形態の電子ペン１においては、筐体２の開口部２ｂの壁部に対しては、芯体３４のパイプ部３４１が対向するようになるので、開口部２ｂの壁部に芯体３４が衝合するときには、当該壁部との芯体３４の衝合部は金属製のパイプ部３４１となる。
【００６６】
前述したように、同じ材料で構成されていても、中実の棒状体よりもパイプ形状の部材の方が剛性は大きい。しかも、この実施形態では、パイプ部３４１は、樹脂からなる中芯部３４２よりも材料として剛性の大きい金属を用いている。したがって、この実施形態の電子ペン１では、芯体３４が筐体２の開口部２ｂの壁部と衝合しても、当該芯体３４の衝合部は、中芯部３４２よりも剛性の大きい金属製のパイプ部３４１となり、芯体３４の中芯部３４２の先端部３４２ａは、折れにくい構成とすることができる。この構成により、この実施形態の電子ペン１によれば、中芯部３４２の先端部３４２ａがパイプ部３４１と同じ金属であっても、金属棒の芯体よりも折れにくい構造となる。
【００６７】
さらに、金属製のパイプ部３４１の外周面は、樹脂に比べて摩擦係数が小さいので、開口部２ｂの壁部と芯体３４のパイプ部３４１とが衝合しても、樹脂に比べて滑りやすく、その点でも、芯体３４の先端部３４２ａを折れにくくすることができる。
【００６８】
さらに、この実施形態では、芯体３４の先端部３４ａが筐体２の開口部２ｂから外部に突出するときには、フェライトコア３２のコイル非巻回部３２ｂの一部も筐体２の開口部２ｂから外部に突出する構成であり、芯体３４の先端部３４ａ側がフェライトコア３２の貫通孔３２ｄの端部から突出する長さは、ペン先としての最小の長さで良い。換言すれば、この実施形態の電子ペン本体部３においては、芯体３４は、外部に突出させる必要最小限の先端部３４ａ以外は、フェライトコア３２の貫通孔３２ｄ内に挿入されていて保護されている。したがって、この実施形態の電子ペン１及び電子ペン本体部３によれば、芯体３４が細くなっても、芯体３４の先端部はパイプ部３４１に加えて、フェライトコア３２によっても保護されるため、その破損を、より防止することができるという効果を奏する。
【００６９】
そして、上述の実施形態によれば、電子ペン本体部３の細型化が実現できるので、電子ペン本体部３を、市販のボールペンの替え芯と互換性を取れる構成とすることができるようになる。
【００７０】
電子ペン本体部３を、市販のボールペンの替え芯と互換性を取れる構成とした場合には、電子ペン１の筐体２を、市販のボールペンの筐体を流用することができるというメリットがある。すなわち、ボールペンの替え芯の代わりに、この実施形態の電子ペン本体部３を、ボールペンの筐体に収納することで、電子ペン１を構成することが可能となる。
【００７１】
なお、図２の例では、フェライトコア３２のほぼ１／２長部分にコイル３１を巻回するようにしたが、フェライトコア３２において、コイル３１を巻回する部分の長さは、これに限られるものではなく、任意である。そして、芯体３４の先端部３４ａの長さと、フェライトコア３２のコイル非巻回部３２ｂの長さとの合計の長さは、市販のボールペンの替え芯との互換性を確保する場合において、上述した長さＬ１に限定されるわけではなく、長さＬ１以上であればよい。
【００７２】
［電子ペン１と共に使用する位置検出装置における位置検出および筆圧検出のための回路構成］
次に、上述の実施形態の電子ペン１による指示位置の検出および電子ペン１に印加される筆圧の検出を行う位置検出装置４００の回路構成例及びその動作について、図５を参照して説明する。
【００７３】
電子ペン１は、図５に示すように、インダクタンス素子としてのコイル３１と、筆圧検出部３５により構成される可変容量キャパシタ３５Ｃと、筒状体部３３に収納されている共振用キャパシタ３７とが並列に接続された共振回路を備える。
【００７４】
一方、位置検出装置４００には、Ｘ軸方向ループコイル群４１１と、Ｙ軸方向ループコイル群４１２とが積層されて位置検出コイル４１０が形成されている。各ループコイル群４１１，４１２は、例えば、それぞれｎ，ｍ本の矩形のループコイルからなっている。各ループコイル群４１１，４１２を構成する各ループコイルは、等間隔に並んで順次重なり合うように配置されている。
【００７５】
また、位置検出装置４００には、Ｘ軸方向ループコイル群４１１及びＹ軸方向ループコイル群４１２が接続される選択回路４１３が設けられている。この選択回路４１３は、２つのループコイル群４１１，４１２のうちの一のループコイルを順次選択する。
【００７６】
さらに、位置検出装置４００には、発振器４２１と、電流ドライバ４２２と、切り替え接続回路４２３と、受信アンプ４２４と、検波器４２５と、低域フィルタ４２６と、サンプルホールド回路４２７と、Ａ／Ｄ変換回路４２８と、同期検波器４２９と、低域フィルタ４３０と、サンプルホールド回路４３１と、Ａ／Ｄ変換回路４３２と、処理制御部４３３とが設けられている。処理制御部４３３は、マイクロプロセッサにより構成されている。
【００７７】
発振器４２１は、周波数ｆ０の交流信号を発生する。そして、発振器４２１は、発生した交流信号を、電流ドライバ４２２と同期検波器４２９に供給する。電流ドライバ４２２は、発振器４２１から供給された交流信号を電流に変換して切り替え接続回路４２３へ送出する。切り替え接続回路４２３は、処理制御部４３３からの制御により、選択回路４１３によって選択されたループコイルが接続される接続先（送信側端子Ｔ、受信側端子Ｒ）を切り替える。この接続先のうち、送信側端子Ｔには電流ドライバ４２２が、受信側端子Ｒには受信アンプ４２４が、それぞれ接続されている。
【００７８】
選択回路４１３により選択されたループコイルに発生する誘導電圧は、選択回路４１３及び切り替え接続回路４２３を介して受信アンプ４２４に送られる。受信アンプ４２４は、ループコイルから供給された誘導電圧を増幅し、検波器４２５及び同期検波器４２９へ送出する。
【００７９】
検波器４２５は、ループコイルに発生した誘導電圧、すなわち受信信号を検波し、低域フィルタ４２６へ送出する。低域フィルタ４２６は、前述した周波数ｆ０より充分低い遮断周波数を有しており、検波器４２５の出力信号を直流信号に変換してサンプルホールド回路４２７へ送出する。サンプルホールド回路４２７は、低域フィルタ４２６の出力信号の所定のタイミング、具体的には受信期間中の所定のタイミングにおける電圧値を保持し、Ａ／Ｄ（Analog to Digital）変換回路４２８へ送出する。Ａ／Ｄ変換回路４２８は、サンプルホールド回路４２７のアナログ出力をデジタル信号に変換し、処理制御部４３３に出力する。
【００８０】
一方、同期検波器４２９は、受信アンプ４２４の出力信号を発振器４２１からの交流信号で同期検波し、それらの間の位相差に応じたレベルの信号を低域フィルタ４３０に送出する。この低域フィルタ４３０は、周波数ｆ０より充分低い遮断周波数を有しており、同期検波器４２９の出力信号を直流信号に変換してサンプルホールド回路４３１に送出する。このサンプルホールド回路４３１は、低域フィルタ４３０の出力信号の所定のタイミングにおける電圧値を保持し、Ａ／Ｄ（Analog to Digital）変換回路４３２へ送出する。Ａ／Ｄ変換回路４３２は、サンプルホールド回路４３１のアナログ出力をデジタル信号に変換し、処理制御部４３３に出力する。
【００８１】
処理制御部４３３は、位置検出装置４００の各部を制御する。すなわち、処理制御部４３３は、選択回路４１３におけるループコイルの選択、切り替え接続回路４２３の切り替え、サンプルホールド回路４２７、４３１のタイミングを制御する。処理制御部４３３は、Ａ／Ｄ変換回路４２８、４３２からの入力信号に基づき、Ｘ軸方向ループコイル群４１１及びＹ軸方向ループコイル群４１２から一定の送信継続時間（連続送信区間）をもって電波を送信させる。
【００８２】
Ｘ軸方向ループコイル群４１１及びＹ軸方向ループコイル群４１２の各ループコイルには、電子ペン１から送信（帰還）される電波によって誘導電圧が発生する。処理制御部４３３は、この各ループコイルに発生した誘導電圧の電圧値のレベルに基づいて電子ペン１のＸ軸方向及びＹ軸方向の指示位置の座標値を算出する。また、処理制御部４３３は、送信した電波と受信した電波との位相差に応じた信号のレベルに基づいて筆圧を検出する。
【００８３】
このようにして、位置検出装置４００では、接近した電子ペン１の位置を処理制御部４３３で検出する。そして、受信した信号の位相を検出することにより、電子ペン１の筆圧値の情報を得る。
【００８４】
そして、電子ペン本体部３の細型化が実現できるので、電子ペン本体部３を、市販のボールペンの替え芯と互換性を取れる構成とすることができるようになる。
【００８５】
電子ペン本体部３を、市販のボールペンの替え芯と互換性を取れる構成とした場合には、電子ペン１の筐体２を、市販のボールペンの筐体を流用することができるというメリットがある。すなわち、ボールペンの替え芯の代わりに、この実施形態の電子ペン本体部３を、ボールペンの筐体に収納することで、電子ペン１を構成することが可能となる。
【００８６】
［第１の実施形態の変形例］
上述の第１の実施形態の例では、芯体３４は、パイプ部３４１と、このパイプ部３４１の中空部３４１ａ内に挿通すると共に、一方の端部側の先端部３４２ａがペン先を構成し、他方の端部３４２ｂが筆圧検出部３５に筆圧を伝達する筆圧伝達部を構成する中芯部３４２とからなるものとした。しかし、芯体の構成は、このような構成に限られるものではない。
【００８７】
＜芯体の第１の他の例＞
図６は、第１の実施形態の電子ペン１に用いることができる第１の他の例の芯体３４Ａの構成例を説明するための図である。
【００８８】
この例の芯体３４Ａにおいては、パイプ部は、図６（Ａ）に示すように、上述の第１の実施形態の例のパイプ部３４１と同様の構成のパイプ部３４１Ａを用いるが、中芯部の構成が上述の第１の実施形態の例とは異なる。すなわち、この例の芯体３４Ａにおいては、図６（Ａ）に示すように、中芯部３４２Ａは、中芯部３４２Ａの一方の端部側の先端部を構成するペン先側部３４２１と、筆圧検出部３５に筆圧を伝達する筆圧伝達部３４２２とに分離される。ペン先側部３４２１及び筆圧伝達部３４２２は、この例では共に樹脂、例えばＰＯＭで構成される。なお、ペン先側部３４２１と筆圧伝達部３４２２とでは、材料が異なるものを用いてもよい。例えばペン先側部３４２１は、ＰＯＭで構成し、筆圧伝達部３４２２は弾性を有する樹脂、あるいは弾性を有する硬質ゴムで構成してもよい。
【００８９】
ペン先側部３４２１は、ペン先となる先端部３４２１ａと、パイプ部３４１Ａに挿入される挿入部３４２１ｂとからなる。そして、この例では、ペン先側部３４２１の先端部３４２１ａは、その外径がパイプ部３４１Ａの外径と略等しく選定されると共に、先端が砲弾型の曲面を有するように構成される。また、ペン先側部３４２１の挿入部３４２１ｂは、パイプ部３４１Ａの中空部３４１Ａａの内径よりも若干小さい外径を有するように構成されると共に、この挿入部３４２１ｂには、パイプ部３４１Ａの中空部３４１Ａａの内径に等しいあるいは若干大きい径となる膨出部３４２１ｃが形成されている。
【００９０】
そして、図６（Ｂ）に示すように、ペン先側部３４２１の挿入部３４２１ｂをパイプ部３４１Ａの中空部３４１Ａａ内に、膨出部３４２１ｃの部分において圧入挿入することで、ペン先側部３４２１を、パイプ部３４１Ａに対して結合して係止させる。なお、ペン先側部３４２１をパイプ部３４１Ａから引き抜くことで、両者の結合を解除することができる。
【００９１】
また、芯体３４Ａの筆圧伝達部３４２２は、この例では、筆圧検出部３５と嵌合する嵌合部３４２２ａと、パイプ部３４１Ａに挿入される挿入部３４２２ｂとからなる。そして、この例では、筆圧伝達部３４２２の嵌合部３４２２ａは、その外径がパイプ部３４１Ａの外径と略等しく選定されると共に、先端が筆圧検出部３５に嵌合する形状を有するように構成される。また、筆圧伝達部３４２２の挿入部３４２２ｂは、パイプ部３４１Ａの中空部３４１Ａａの内径よりも若干小さい外径を有するように構成されると共に、この挿入部３４２２ｂには、パイプ部３４１Ａの中空部３４１Ａａの内径に等しいあるいは若干大きい径となる膨出部３４２２ｃが形成されている。
【００９２】
そして、図６（Ｂ）に示すように、筆圧伝達部３４２２の挿入部３４２２ｂをパイプ部３４１Ａの中空部３４１Ａａ内に、膨出部３４２２ｃの部分において圧入挿入することで、筆圧伝達部３４２２を、パイプ部３４１Ａに対して結合して係止させる。なお、筆圧伝達部３４２２をパイプ部３４１Ａから引き抜くことで、両者の結合を解除することができる。
【００９３】
以上のようにして、この例の芯体３４Ａは、図６（Ｂ）に示すように、ペン先側部３４２１と、筆圧伝達部３４２２とをパイプ部３４１Ａに挿入して係止させることで、構成される。したがって、この図６（Ｂ）に示すように、この例の芯体３４Ａにおいては、中芯部３４２Ａは、ペン先側部３４２１と、筆圧伝達部３４２２と、両者の間の空気３４２３とからなる構成を有するものとすることができる。
【００９４】
そして、この例の芯体３４Ａは、上述の芯体３４と同様にして、フェライトコア３２の貫通孔３２ｄ内を挿通されて、筆圧伝達部３４２２の嵌合部３４２２ａが筆圧検出部３５に嵌合され、ペン先側部３４２１の先端部３４２１ａとパイプ部３４１Ａの一部がフェライトコア３２から突出する状態とされて電子ペン１に装着される。したがって、この芯体３４Ａを用いる場合にも、電子ペン１は、上述と同様にして、電磁誘導方式で位置検出センサに対して位置指示するようにする。
【００９５】
＜芯体の第２の他の例＞
図７は、第１の実施形態の電子ペン１に用いることができる芯体の第２の他の例の構成例を示す図である。この芯体の第２の他の例は、筆記具としてのフェルトペンの構成を有するものである。
【００９６】
図７は、第２の他の例の芯体３４Ｂの構成例を説明するための断面図である。この例の芯体３４Ｂにおいても、パイプ部は上述の第１の実施形態の例のパイプ部３４１と同様の構成のパイプ部３４１Ｂを用いる。そして、この例の芯体３４Ｂにおいては、中芯部３４２Ｂは、図７に示すように、ペン先側部３４２４と筆圧伝達部３４２５とに分離される。
【００９７】
ペン先側部３４２４は、この例ではパイプ部３４１Ｂの中空部３４１Ｂａの径とほぼ等しい径のフェルトで構成される。そして、図７に示すように、このペン先側部３４２４の一部がパイプ部３４１Ｂの中空部３４１Ｂａに挿入されて、ペン先側部３４２４が、パイプ部３４１Ｂに係止される。この場合にも、図７では、図示は省略するが、ペン先側部３４２４のパイプ部３４１Ｂの中空部３４１Ｂに挿入する部分には、膨出部を形成しておき、ペン先側部３４２４をパイプ部３４１Ｂの中空部３４１Ｂに圧入して挿入するようにすることができる。
【００９８】
また、筆圧伝達部３４２５は、樹脂で構成され、上述の図６に示した芯体３４Ａの筆圧伝達部３４２２と同様に構成され、嵌合部３４２５ａと挿入部３４２５ｂとを備える。図７では、図示は省略するが、筆圧伝達部３４２５の挿入部３４２５ｂには、筆圧伝達部３４２２の膨出部３４２２ｃと同様の膨出部が設けられている。そして、上述の図６に示した芯体３４Ａの筆圧伝達部３４２２と同様にして、パイプ部３４１Ｂの中空部３４１Ｂａ内に、筆圧伝達部３４２５の挿入部３４２５ｂが挿入されて、パイプ部３４１Ｂに対して筆圧伝達部３４２５が係止される。
【００９９】
そして、この例の芯体３４Ｂにおいては、パイプ部３４１Ｂの、ペン先側部３４２４と筆圧伝達部３４２５との間には、フェルトペン用のゲル状インク材３４２６が装填されている。したがって、この例の芯体３４Ｂの中芯部３４２Ｂは、図７に示すように、ペン先側部３４２４と、筆圧伝達部３４２５と、両者の間のゲル状インク部材３４２６とからなる構成を有するものとなる。
【０１００】
そして、この例の芯体３４Ｂは、上述の芯体３４Ａと同様にして、フェライトコア３２の貫通孔３２ｄ内を挿通されて、筆圧伝達部３４２５の嵌合部３４２５ａが筆圧検出部３５に嵌合され、ペン先側部３４２４の先端部３４２４ａとパイプ部３４１Ｂの一部がフェライトコア３２から突出する状態とされて電子ペン１に装着される。したがって、この芯体３４Ｂを用いる場合にも、電子ペン１は、上述と同様にして、電磁誘導方式で位置検出センサに対して位置指示するようにする。
【０１０１】
さらに、この第２の他の例の芯体３４Ｂにおいては、ゲル状インク部材３４２６がフェルトからなるペン先側部３４２４の先端部３４２４ａにまで浸透する。したがって、この芯体３４Ｂを装着した電子ペン１の使用時には、ペン先側部３４２４の先端部３４２４ａを用紙に接触させて軌跡を描くことで、いわゆるフェルトペンと同様にして、文字や絵を描画することができる。したがって、位置検出センサ上に用紙を置いて、電子ペン１により文字や絵を描くと、用紙にその描画文字や絵が残ると共に、位置検出センサでその描画された文字や絵の軌跡が検出され、その座標データが位置検出装置に得られる。
【０１０２】
なお、図７の例では、芯体３４Ｂには、筆圧伝達部３４２５を取り付けるようにしたが、芯体３４Ｂのパイプ部３４１Ｂのペン先側部３４２４とは反対側を、筆圧伝達部と兼用するようにすることで、筆圧伝達部３４２５を省略することもできる。
【０１０３】
＜芯体の第３の他の例＞
図８は、第１の実施形態の電子ペン１に用いることができる芯体の第３の他の例の構成例を示す図である。この芯体の第３の他の例は、筆記具としてのボールペンの構成を有するものである。
【０１０４】
図８は、第３の他の例の芯体３４Ｃの構成例を説明するための断面図である。この例の芯体３４Ｃにおいても、パイプ部は上述の第１の実施形態の例のパイプ部３４１と同様の構成のパイプ部３４１Ｃを用いる。そして、この例の芯体３４Ｂにおいては、ペン先側部３４２７は、ボールペンのペン先と同様の構成を備え、先端部３４２７ａと挿入部３４２７ｂとからなり、先端部３４２７ａの先端にはボール３４２７ｃが埋め込まれている。
【０１０５】
このペン先側部３４２７の挿入部３４２７ｂは、パイプ部３４１Ｃの中空部３４１Ｃａの径とほぼ等しい、あるいは若干小さい径を有すると共に、図８では図示を省略するが、膨出部を有する。そして、この挿入部３４２７ｂがパイプ部３４１Ｃの中空部３４１Ｃａ内に挿入されて、ペン先側部３４２７がパイプ部３４１Ｃに係止される。
【０１０６】
そして、パイプ部３４１Ｃの中空部３４１Ｃａ内には、ボールペン用のインク液３４２８が充填されている。そして、この例の芯体３４Ｃにおいては、パイプ部３４１Ｃのペン先側部３４２７とは反対側が筆圧伝達部３４２９を兼用するように構成されている。なお、パイプ部３４１Ｃのペン先側部３４２７とは反対側に、図７に示した芯体３４Ｂの筆圧伝達部３４２５と同様の筆圧伝達部を嵌合して設ける構成としても勿論よい。
【０１０７】
この例の芯体３４Ｃの中芯部３４２Ｃは、図８に示すように、ペン先側部３４２７と、筆圧伝達部３４２９と、両者の間のボールペン用インク液３４２８とからなる構成を有するものとなる。
【０１０８】
そして、この例の芯体３４Ｃは、上述の芯体３４Ａと同様にして、フェライトコア３２の貫通孔３２ｄ内を挿通されて、筆圧伝達部３４２９が筆圧検出部３５に嵌合され、ペン先側部３４２７の先端部３４２７ａとパイプ部３４１Ｃの一部がフェライトコア３２から突出する状態とされて電子ペン１に装着される。したがって、この芯体３４Ｃを用いる場合にも、電子ペン１は、上述と同様にして、電磁誘導方式で位置検出センサに対して位置指示するようにする。
【０１０９】
さらに、この第３の他の例の芯体３４Ｃにおいては、ボールペン用インク液３４２８がペン先側部３４２７の先端部３４２７ａのボール３４２７ｃにまで浸透する。したがって、この芯体３４Ｃを装着した電子ペン１の使用時には、ペン先側部３４２７の先端部３４２７ａを用紙に接触させて軌跡を描くことで、ボールペンと同様にして、文字や絵を描画することができる。したがって、位置検出センサ上に用紙を置いて、電子ペン１により文字や絵を描くと、用紙にその描画文字や絵が残ると共に、位置検出センサでその描画された文字や絵の軌跡が検出され、その座標データが位置検出装置に得られる。
【０１１０】
なお、上述の第１〜第３の他の例の芯体３４Ａ〜３４Ｃでは、中芯部３４２Ａ〜３４２Ｃのペン先側とは反対側の筆圧伝達部３４２２，３４２５，３４２９は、筆圧検出部３５に嵌合する嵌合部を構成するようにしたが、筆圧検出部３５に嵌合する別部材の押圧部材を設け、中芯部３４２Ａ〜３４２Ｃの筆圧伝達部３４２２，３４２５，３４２９は、この押圧部材に嵌合して、筆圧検出部３５に対して、芯体３４の先端に印加される筆圧を、押圧部材を介して伝達するように構成してもよい。
【０１１１】
［第２の実施形態］
以上は、電磁誘導方式の電子ペンの場合にこの発明を適用した場合である。しかし、この発明は、静電容量方式の電子ペンの例であるアクティブ静電ペンにも適用できる。以下に説明する第２の実施形態の電子ペンにおいては、フェライトコアに巻回されたコイルは、信号発信回路の電源を充電する充電回路の一部とされる。
【０１１２】
図９は、第２の実施形態の電子ペンの例である静電方式スタイラスペン１Ｄの位置指示部の内部構造を示した図である。図１０は、この第２の実施形態の電子ペンの例である静電方式スタイラスペン１Ｄの回路構成図である。図９と図１０において、同一構成要素は同一符号で示す。
【０１１３】
この第２の実施形態の静電方式スタイラスペン１Ｄにおいては、芯体３４Ｄの構成及びフェライトコア３２Ｄの部分を含むペン先側の構成は、図１〜図４を用いて説明した第１の実施形態と同様である。ただし、この第２の実施形態の静電方式スタイラスペン１Ｄでは、電子ペン本体部を用いない構成とされる。
【０１１４】
すなわち、フェライトコア３２Ｄは軸芯方向の貫通孔３２Ｄａを備えると共に、このフェライトコア３２Ｄには、部分的にコイル３１Ｄが巻回されている。そして、第１の実施形態と同様に、フェライトコア３２Ｄは、その軸芯方向に、コイル３１Ｄが巻回されているコイル巻回部３２Ｄａが形成されると共に、ペン先側に第１のコイル非巻回部３２Ｄｂが形成され、ペン先側とは反対側に第２のコイル非巻回部３２Ｄｃが形成されている。
【０１１５】
そして、この第２の実施形態では、芯体３４Ｄは、図３及び図４に示した芯体３４と同様の構成とされるが、導電性を有する構成とされる。すなわち、詳細な図示は省略するが、芯体３４Ｄは、芯体３４のパイプ部３４１と同様の構成を備え、導電性を有する金属からなるパイプ部と、芯体３４の中芯部３４２と同様の構成であると共に、導体、例えば導電性金属や導電性粉末を混入した硬質樹脂からなる中芯部とを備える。したがって、この第２の実施形態においては、芯体３４Ｄは導電性を有するので、以下の説明では、芯体３４Ｄを、電極芯３４Ｄと称する。
【０１１６】
この電極芯３４Ｄは、第１の実施形態の場合と同様にして、フェライトコア３２Ｄの貫通孔３２Ｄｄを挿通して、筆圧検出部３５Ｄに嵌合される。筆圧検出部３５Ｄは、静電方式スタイラスペン１Ｄの筐体内において、フェライトコア３２Ｄと結合されて設けられる筒状体部内に設けられており、可変容量キャパシタの構成とされている。電極芯３４Ｄは、信号送出用の電極と可変容量キャパシタの構成である筆圧検出部３５Ｄに嵌合する押圧体とを一体に構成したものとなる。
【０１１７】
なお、図９では、図示を省略するが、静電方式スタイラスペン１Ｄの筐体内には、電極芯３４Ｄを通じて外部に送出する信号発信回路を搭載するプリント基板が配置されている。電極芯３４Ｄは、筆圧検出部３５Ｄに嵌合したときには、接続線３９により、プリント基板の信号発信回路と接続されている。次に、この静電方式スタイラスペン１Ｄの回路構成について説明する。
【０１１８】
図１０において、５１は電気二重層キャパシタ、５２は整流用ダイオード、５３は電圧変換回路、５４は、この例の信号発信回路を構成する発振回路である。図１０に示すように、この例では、コイル３１Ｄの一端はダイオード５２のアノードに接続され、他端は、接地（ＧＮＤ）されている。また、電気二重層キャパシタ５１の一端はダイオード５２のカソードに接続され、他端は、接地されている。
【０１１９】
電極芯３４Ｄは、コイル３１Ｄが巻かれたフェライトコア３２Ｄの貫通孔３２Ｄｄを貫通して、可変容量キャパシタを構成する筆圧検出部３５Ｄに物理的に結合（係合）されると共に、電極芯３４Ｄと可変容量キャパシタを構成する筆圧検出部３５Ｄとの前記結合部では接続線３９と電気的に接続されている。接続線３９は、電極芯３４Ｄと発振回路５４とを電気的に接続している。したがって、電極芯３４Ｄと可変容量キャパシタを構成する筆圧検出部３５Ｄとの前記物理的な結合により電極芯３４Ｄに加えられた圧力（筆圧）は筆圧検出部３５Ｄに伝達されるとともに、接続線３９を経由して発振回路５４からの送信信号が電極芯３４Ｄより送信される。
【０１２０】
発振回路５４は、筆圧検出部３５Ｄの可変容量キャパシタの容量に応じて周波数が変化する信号を発生し、その発生した信号を電極芯３４Ｄに供給する。発振回路５４からの信号は、電極芯３４Ｄよりその信号に基づく電界として放射される。発振回路５４は、例えばコイルとキャパシタによる共振を利用したＬＣ発振回路により構成される。この実施形態の電子ペンの例の静電方式スタイラスペン１Ｄの座標位置を検出するタブレットでは、この信号の周波数より電極芯３４Ｄに加えられた筆圧を求めることができる。
【０１２１】
電圧変換回路５３は、電気二重層キャパシタ５１に蓄えられた電圧を一定の電圧に変換して発振回路５４の電源として供給する。この電圧変換回路５３は、電気二重層キャパシタ５１の両端の電圧よりも低くなるような降圧タイプのものでも良いし、電気二重層キャパシタ５１の両端の電圧よりも高くなるような昇圧タイプのものでも良い。また、電気二重層キャパシタ５１の両端の電圧が前記一定の電圧よりも高い場合は降圧回路として動作し、前記一定の電圧よりも低い場合は昇圧回路として動作する昇降圧タイプのものでも良い。
【０１２２】
この実施形態の静電方式スタイラスペン１Ｄを図示しない充電器に装着したときに、充電器が発生する交番磁界によりコイル３１Ｄには誘導起電力が発生して、ダイオード５２を介して電気二重層キャパシタ５１を充電する。
【０１２３】
この実施形態の静電方式スタイラスペン１Ｄが通常動作するとき（充電動作を行わないとき）は、コイル３１Ｄは固定電位（この例では接地電位（ＧＮＤ））となるため、電極芯３４Ｄの周囲に設けたシールド電極として作用する。なお、静電方式スタイラスペン１Ｄが通常動作するときのコイル３１Ｄの固定電位は、接地電位に限らず、電源のプラス側電位であっても良いし、電源のプラス側電位と接地電位との中間の電位であっても良い。
【０１２４】
上述の第２の実施形態の電子ペンの例である静電方式スタイラスペン１Ｄによれば、充電用のコイル３１Ｄを貫通するように電極芯３４Ｄを配置したため、
・電極芯３４Ｄに加えられる筆圧が阻害されることなく筆圧検出部３５Ｄに伝達される、
・充電用のコイル３１Ｄの断面積を大きくすることができ、そのため充電を高速かつ効率良く行うことができる、
・充電用のコイル３１Ｄと電極芯３４Ｄを狭いスペースに配置することができ、静電方式スタイラスペンを細く作ることができる、
という効果を奏する。
【０１２５】
また、上述の第２の実施形態の電子ペンの例である静電方式スタイラスペン１Ｄによれば、充電動作時ではない通常動作時には充電用のコイル３１Ｄはシールド電極として作用するので、静電方式スタイラスペン１Ｄの筐体２を手で持っても電極芯３４Ｄが出力する信号に影響を与えることがない。
【０１２６】
また、上述の第２の実施形態の電子ペンの例である静電方式スタイラスペン１Ｄによれば、電極芯３４Ｄの周囲に非接触充電用のコイル３１Ｄを設けるようにしたため、ペン立て形状の充電器による非接触充電が可能で、操作性の良い静電方式スタイラスペンが実現できる。
【０１２７】
図１１は、第２の実施形態の電子ペンの例である静電方式スタイラスペン１Ｄからの信号を受け、センサ上の位置を検出すると共に、筆圧を検出するようにする位置検出装置７００を説明するためのブロック図である。
【０１２８】
この実施形態の位置検出装置７００は、図１１に示すように、センサ７１０と、このセンサ７１０に接続されるペン検出回路７２０とからなる。センサ７１０は、この例では、断面図は省略するが、下層側から順に、第１の導体群７１１、絶縁層（図示は省略）、第２の導体群７１２を積層して形成されたものである。第１の導体群７１１は、例えば、横方向（Ｘ軸方向）に延在した複数の第１の導体７１１Ｙ１、７１１Ｙ２、…、７１１Ｙｍ（ｍは１以上の整数）を互いに所定間隔離して並列に、Ｙ軸方向に配置したものである。
【０１２９】
また、第２の導体群７１２は、第１の導体７１１Ｙ１、７１１Ｙ２、…、７１１Ｙｍの延在方向に対して交差する方向、この例では直交する縦方向（Ｙ軸方向）に延在した複数の第２の導体７１２Ｘ１、７１２Ｘ２、…、７１２Ｘｎ（ｎは１以上の整数）を互いに所定間隔離して並列に、Ｘ軸方向に配置したものである。
【０１３０】
このように、位置検出装置７００のセンサ７１０では、第１の導体群７１１と第２の導体群７１２を交差させて形成したセンサパターンを用いて、静電方式スタイラスペン１Ｄが指示する位置を検出する構成を備えている。
【０１３１】
なお、以下の説明において、第１の導体７１１Ｙ１、７１１Ｙ２、…、７１１Ｙｍについて、それぞれの導体を区別する必要がないときには、その導体を、第１の導体７１１Ｙと称する。同様に、第２の導体７１２Ｘ１、７１２Ｘ２、…、７１２Ｘｎについて、それぞれの導体を区別する必要がないときには、その導体を、第２の導体７１２Ｘと称することとする。
【０１３２】
ペン指示検出回路７２０は、センサ７１０との入出力インターフェースとされる選択回路７２１と、増幅回路７２２と、バンドパスフィルタ７２３と、検波回路７２４と、サンプルホールド回路７２５と、ＡＤ（Analog  to  Digital）変換回路７２６と、制御回路７２７とからなる。
【０１３３】
選択回路７２１は、制御回路７２７からの制御信号に基づいて、第１の導体群７１１および第２の導体群７１２の中から１本の導体７１１Ｙまたは７１２Ｘを選択する。選択回路７２１により選択された導体は増幅回路７２２に接続され、静電方式スタイラスペン１Ｄからの信号が、選択された導体により検出されて増幅回路７２２により増幅される。この増幅回路７２２の出力はバンドパスフィルタ７２３に供給されて、静電方式スタイラスペン１Ｄから送信される信号の周波数の成分のみが抽出される。
【０１３４】
バンドパスフィルタ７２３の出力信号は検波回路７２４によって検波される。この検波回路７２４の出力信号はサンプルホールド回路７２５に供給されて、制御回路７２７からのサンプリング信号により、所定のタイミングでサンプルホールドされた後、ＡＤ変換回路７２６によってデジタル値に変換される。ＡＤ変換回路７２６からのデジタルデータは制御回路７２７によって読み取られ、処理される。
【０１３５】
制御回路７２７は、内部のＲＯＭに格納されたプログラムによって、サンプルホールド回路７２５、ＡＤ変換回路７２６、および選択回路７２１に、それぞれ制御信号を送出するように動作する。そして、制御回路７２７は、ＡＤ変換回路７２６からのデジタルデータから、静電方式スタイラスペン１Ｄによって指示されたセンサ７１０上の位置座標を算出すると共に、筆圧検出部３５Ｄで検出された筆圧を検出するようにする。
【０１３６】
すなわち、制御回路７２７は、例えばまず第２の導体７１２Ｘ１〜７１２Ｘｎを順次に選択する選択信号を選択回路７２１に供給し、第２の導体７１２Ｘ１〜７１２Ｘｎのそれぞれの選択時に、ＡＤ変換回路７２６から出力されるデータを信号レベルとして読み取る。そして、第２の導体７１２Ｘ１〜７１２Ｘｎの全ての信号レベルが所定値に達していなければ、制御回路７２７は、静電方式スタイラスペン１Ｄがセンサ７１０上に無いものと判断し、第２の導体７１２Ｘ１〜７１２Ｘｎを順次に選択する制御を繰り返す。
【０１３７】
第２の導体７１２Ｘ１〜７１２Ｘｎのいずれかから所定値以上のレベルの信号が検出された場合には、制御回路７２０は、最も高い信号レベルが検出された第２の導体７１２Ｘの番号とその周辺の複数個の第２の導体７１２Ｘを記憶する。そして、制御回路７２７は、選択回路７２１を制御して、第１の導体７１１Ｙ１〜７１１Ｙｍを順次選択して、ＡＤ変換回路７２６からの信号レベルを読み取る。このとき制御回路７２７は、最も大きい信号レベルが検出された第１の導体７１１Ｙとその周辺の複数個の第１の導体７１１Ｙの番号を記憶する。
【０１３８】
そして、制御回路７２７は、以上のようにして記憶した、最も大きい信号レベルが検出された第２の導体７１２Ｘの番号及び第１の導体７１１Ｙの番号とその周辺の複数個の複数個の第２の導体７１２Ｘ及び第１の導体７１１Ｙから、静電方式スタイラスペン１Ｄにより指示されたセンサ７１０上の位置を検出する。
【０１３９】
制御回路７２７は、また、ＡＤ変換回路７２６からの信号の周波数を検出し、その検出した周波数から、筆圧検出部３５Ｄで検出された筆圧値を検出する。すなわち、前述したように、静電方式スタイラスペン１Ｄの発振回路５４の発振周波数は、筆圧検出部３５Ｄで構成される可変容量キャパシタの静電容量に応じた周波数となっている。制御回路７２７は、例えば、静電方式スタイラスペン１Ｄの発振回路５４の発振周波数と筆圧値との対応テーブルの情報を備えており、この対応テーブルの情報から、筆圧値を検出する。
【０１４０】
なお、上述の第２の実施形態では、静電方式スタイラスペン１Ｄは、筆圧検出部３５Ｄで検出した筆圧を周波数に変換して電極芯３４Ｄに供給するようにしたが、筆圧を対応させる信号属性としては周波数に限られるものではなく、信号の位相や信号の断続回数などに筆圧を対応させるようにしても良い。
【０１４１】
［第２の実施形態の変形例］
上述の実施形態の静電方式スタイラスペン１Ｄの芯体３４Ｄは、図３及び図４に示した芯体３４と同様の構成とするようにしたが、図６、図７及び図８に示した他の例の芯体３４Ａ、３４Ｂ，３４Ｃと同様の構成とすることもできる。
【０１４２】
芯体３４Ｄを、芯体３４Ａ、３４Ｂと同様の構成とした場合には、ペン先側部と、筆圧伝達部とが別体の構成となるが、それらのペン先側部と、筆圧伝達部とが、例えば導電性金属や導電性粉末を混入した硬質樹脂などの導電性を有する部材で構成され、導電金属製のパイプ部に、挿入嵌合されて結合される。なお、芯体３４Ｄを、芯体３４Ｃと同様の構成とした場合には、筆圧伝達部は、導電性金属からなるパイプ部が兼用するので、敢えて筆圧伝達部として導電性の部材で構成する必要はないことは言うまでもない。
【０１４３】
上述した第２の実施形態では、信号発信回路の電源として、充電式の電気二重層コンデンサを用い、フェライトコアに巻回されたコイルを充電エネルギーの受信用素子として用いるようにした。しかし、静電方式スタイラスペン１Ｄの筐体に充電用電極を形成して、当該電極を通じて電気二重層キャパシタなどの充電素子を充電したり、信号発信回路の電源として交換式の２次電池を用いるようにしたりするようにしてもよい。その場合には、静電方式スタイラスペン１Ｄは、フェライトコアに巻回されたコイルを用いなくてもよく、芯体３４Ｄは、フェライトコアの貫通孔を挿通させる構成でなくて良い。
【０１４４】
また、上述の第２の実施形態の説明では、信号発信回路は、発振回路の構成としたが、発振信号をＡＳＫ（Amplitude Shift Keying）変調したり、拡散符号を発生したりする回路であってもよい。
【０１４５】
［その他の実施形態又は変形例］
上述の実施形態では、筆圧検出部は、筆圧に応じて静電容量を可変する可変容量キャパシタを用いるようにしたが、共振回路の共振周波数を変化させる変化素子であれば、インダクタンス値や抵抗値を可変するものであってもよいことは言うまでもない。
【０１４６】
また、上述の実施形態では、電子ペン本体部には、筆圧検出部を設けるようにしたが、筆圧検出部の代わりに、電子ペン本体部の芯体に印加される圧力に応じてオンとされるスイッチを設け、このスイッチがオンとされたときに、共振回路が動作するように構成したり、発振回路が発振を開始したりするように構成してもよい。また、筆圧検出部で検出される圧力に対して閾値を設け、筆圧検出部で検出された圧力が閾値を超えたときに、共振回路が動作するように構成したり、発振回路が発振を開始したりするように構成してもよい。
【０１４７】
また、上述の実施形態では、電子ペン本体部は、市販のボールペンの替え芯と同寸法として、電子ペン１，１Ｍの筐体と、市販のボールペンの筐体との互換性を図ることができるようにしたが、市販のボールペンの替え芯との互換性を考慮せずに、細型化した電子ペン本体部を構成することができることは勿論である。
【０１４８】
また、上述の第１の実施形態では、ノックカム機構を用いて、電子ペン本体部をノック式に筐体内に出し入れするように構成したが、このようなノック式のものに限られるものではなく、単純に、電子ペン本体部を筐体内に収納した形態の電子ペンであってもよい。
【０１４９】
また、上述した第１〜第２の実施形態の電子ペンでは、コイル３１とキャパシタとからなる共振回路における共振周波数の変化や発振信号の周波数の変化として、筆圧検出部３５、３５Ａで検出された筆圧の情報を位置検出装置に送信したが、共振周波数の変化や発振信号の周波数の変化として位置検出装置に送信する情報は、筆圧の情報に限られるものではない。例えば、電子ペン本体部のセンサ面（指示入力面）に対する傾きを検出する傾き検出センサにより検出した傾きを、共振周波数の変化や発振信号の周波数の変化として送信するようにしても良い。
【０１５０】
なお、上述の説明では、第２の実施形態では、電子ペン本体部を用いたカートリッジ式の構成とはしなかったが、第２の実施形態においても、電子ペン本体部を用いたカートリッジ式の構成としてもよい。また、逆に、第１の実施形態では、電子ペン本体部を用いたカートリッジ式の構成としたが、この第１の実施形態の電磁誘導方式の電子ペンにおいても、電子ペン本体部を用いたカートリッジ式の構成とはしない構成としてもよい。
【符号の説明】
【０１５１】
１，１Ｄ…電子ペン、２…筐体、３…電子ペン本体部、４…ノックカム機構、６…市販のボールペンの替え芯、３１…コイル、３２，３２Ｄ…フェライトコア、３３…筒状体部、３４，３４Ａ，３４Ｂ，３４Ｃ，３４Ｄ…芯体、３５，３５Ｄ…筆圧検出部、３４１…パイプ部、３４２…中芯部、３４２ａ…中芯部３４２の一方の端部（ペン先）、３４２ｂ…中芯部３４２の他方の端部（筆圧伝達部）
【図１】
2016185915.tif 000003
【図２】
2016185915.tif 000004
【図３】
2016185915.tif 000005
【図４】
2016185915.tif 000006
【図５】
2016185915.tif 000007
【図６】
2016185915.tif 000008
【図７】
2016185915.tif 000009
【図８】
2016185915.tif 000010
【図９】
2016185915.tif 000011
【図１０】
2016185915.tif 000012
【図１１】
2016185915.tif 000013
【図１２】
2016185915.tif 000014
【国際調査報告】
2016185915.tif 000015
2016185915.tif 000016
2016185915.tif 000017
2016185915.tif 000018